(57)【要約】      （修正有）【課題】エルボ・ホースガイドや接続管等の別途の部品の追加による取り付け作業の非効率性やコスト高を回避しつつ、吐水口や洗面器等、水栓本体正面下方の種々の部材・洗面用具等に干渉し難く、利便性を高めることのできるカバー水栓を提供する。【解決手段】給湯配管３に接続される湯側接続部と、給水配管４に接続される水側接続部と、湯側接続部と水側接続部との間に配設されるとともにシャワーホース２４が接続されるシャワー接続部１８とを備えた水栓本体１０と、水栓本体１０を被覆するカバー３０が備えられたカバー水栓１ａにおいて、カバー３０に、シャワーホース２４を係止可能なフック４０ａ，４０ｂをカバー３０の左右に設けた。また、フック４０ａ，４０ｂをシャワー接続部１８よりも低い位置に設けた。【選択図】図１
2011226074.tif 000002
【特許請求の範囲】
【請求項１】
給湯配管に接続される湯側接続部と、給水配管に接続される水側接続部と、該湯側接続部と該水側接続部との間に配設されるとともにシャワーホースが接続されるシャワー接続部とを備えた水栓本体と、
前記水栓本体の少なくとも一部を被覆するカバーが備えられたカバー水栓であって、
前記カバーには、前記シャワーホースを係止可能な係止部が備えられたことを特徴とするカバー水栓。
【請求項２】
前記係止部が、前記水栓本体のシャワー接続部よりも低い位置に設けられたことを特徴とする請求項１に記載のカバー水栓。
【請求項３】
前記係止部が、前記カバーの左右にそれぞれ設けられたことを特徴とする請求項１又は請求項２に記載のカバー水栓。
【請求項４】
前記係止部が前記シャワーホースを着脱自在に係止固定可能に設けられたことを特徴とする請求項１から請求項３のいずれかに記載のカバー水栓。
【請求項５】
前記係止部が前記カバーに着脱自在に設けられたことを特徴とする請求項１から請求項４のいずれかに記載のカバー水栓。
【請求項６】
前記係止部がフックであることを特徴とする請求項１から請求項５のいずれかに記載のカバー水栓。
【請求項７】
前記係止部がカバーに設けられた凹溝であることを特徴とする請求項１から請求項４のいずれかに記載のカバー水栓。
【請求項８】
前記係止部が、長手方向がカバーの上下方向に沿って形成された切り欠きであることを特徴とする請求項１から請求項４のいずれかに記載のカバー水栓。
【請求項９】
前記係止部が、カバーに穿設されたホース挿通孔であることを特徴とする請求項１から請求項４のいずれかに記載のカバー水栓。
【請求項１０】
前記切り欠き又は前記ホース挿通孔から、カバー外部にシャワーホースを引き回すことを特徴とする請求項８又は請求項９に記載のカバー水栓。
【発明の詳細な説明】
【技術分野】
【０００１】
本発明は、シャワーホースを接続可能なホース接続部を備える水栓本体と、この水栓本体を被覆するカバーを備えたカバー水栓に関する。
【背景技術】
【０００２】
近年、水栓の一部又は前部をカバーで被覆して水栓の美観を向上させるカバー水栓が多く用いられるようになっている。この種のカバー水栓では、例えば既存の壁付き水栓に用いられる水栓本体にカバーを取り付け、特に、美観上、使用者の目に止めさせたくない水栓本体背面側の湯側接続部及び水側接続部をカバーにより被覆することにより水栓の美観を向上させる。一方、壁付き水栓の水栓本体には、通常、これらの湯側接続部と水側接続部との間にシャワーホースを接続するホース接続部が設けられ、また、水栓本体の正面側には吐水口が設けられている。そして、このような水栓本体をカバー水栓として用いる場合には、カバーの何れかの部位に、ホース接続部に接続されたシャワーホースをカバー外部に引き出すための挿通孔を設け、この挿通孔からシャワーホースを引き回して使用できるように構成している。また、ホース接続部の端部は、引き回されるシャワーホースが水栓本体の操作ハンドルの操作の妨げにならないようにするためや、ホース接続部とシャワーホースとの接続部分が使用者の目に付いて美観を損ねることの無いよう、水栓本体の下方に向けられるように設けられ、よって、シャワーホースを挿通する挿通孔も水栓本体の下方中央付近のカバーに設けられることが多かった（特許文献１参照）。
【０００３】
ところが一方で、水栓本体の正面側には吐水口が設けられているため、前述のような部位に設けられた挿通孔を通してシャワーホースが接続されると、挿通孔から引き出されたシャワーホースが、吐水口下方付近に垂れ下がり、吐水口下方の浴室床面に載置されて使用される洗面器や吐水口自体等に干渉することがある。特に、シャワーヘッドを把持し、散水位置を変えるようにして身体や頭部の各部位に向けてシャワーを使用する際には、シャワーホースが洗面器付近において上下左右に大きく動き洗面器や吐水口に引っかかり、シャワーの利便性が大きく損なわれることとなっていた。また、このようなシャワーホースが洗面器等に干渉し難くなるようにするために、ホース接続部に接続される部位のシャワーホースの向きを特定の方向に強制的に保持するためのエルボを取り付けたり（特許文献１）、ホースガイドなどを取り付けたり（特許文献２）、カバー水栓の側面まで延設される接続管をシャワー接続部からカバー水栓の側面まで増設し、カバー水栓の側面からシャワーホースが引き回されるようにしたカバー水栓も用いられている。
【先行技術文献】
【特許文献】
【０００４】
【特許文献１】特開２０１０−４９９９号公報
【特許文献２】特開２００２−１２１７８３号公報
【発明の概要】
【発明が解決しようとする課題】
【０００５】
しかしながら、従来のカバー水栓では、エルボ・ホースガイドや接続管・壁面に対して接続管を固定するステー等の部品が追加的に必要となるため、取り付け作業の非効率性やコスト高の要因となっていた。
【０００６】
本発明は前述した従来技術の問題点を解決しようとするものであり、エルボ・ホースガイドや接続管等の別途の部品の追加による取り付け作業の非効率性やコスト高を回避しつつ、吐水口や洗面器等、水栓本体正面下方の種々の部材・洗面用具等に干渉し難く、利便性を高めることのできるカバー水栓を提供することを目的とする。
【課題を解決するための手段】
【０００７】
本発明の第一の手段は、
給湯配管に接続される湯側接続部と、給水配管に接続される水側接続部と、該湯側接続部と該水側接続部との間に配設されるとともにシャワーホースが接続されるシャワー接続部とを備えた水栓本体と、
前記水栓本体の少なくとも一部を被覆するカバーが備えられたカバー水栓であって、
前記カバーには、前記シャワーホースを係止可能な係止部が備えられたことを特徴とするカバー水栓である。
【０００８】
本発明では、シャワーホースを係止可能な係止部をカバーに備えたので、エルボ・ホースガイドや接続管等を利用することなくシャワーホースを特定の位置又は向きに係止し、シャワーホースの大きな動きを規制することが可能となる。係止部としてはフック、係止凹部、溝、突設片等を例示できるが、シャワーホースを係止可能であれば良いので、これら以外にも、係止のための種々の手段を採用することができる。また、少なくとも係止可能であれば良く、嵌合固定等、ある程度堅固に固定する係止部も含めて採用することができる。前述の通り、少なくとも水栓本体の一部が被覆されるカバーに係止部を設けることとしているが、水栓本体の全部を被覆するカバーであっても良い。
【０００９】
また、本発明の第二の手段は、前記係止部が前記水栓本体のシャワー接続部よりも低い位置に設けられたことを特徴とするものである。
【００１０】
係止部が水栓本体のシャワー接続部よりも低い位置であれば、シャワー接続部に接続されるシャワーホースが吐水口や洗面器等、水栓本体正面下方の種々の部材・洗面用具等に干渉し難いように構成することができる。
【００１１】
また、本発明の第三の手段は、前記係止部が、前記カバーの左右にそれぞれ設けられたことを特徴とするものである。
【００１２】
このように構成することにより、カバーの左右においてそれぞれシャワーホースを係止することが可能となる。よって、カバー水栓が設置される近辺の浴室内のユニットバスやその他の設置状況に応じて、シャワーホースの係止位置を適宜選択することができ、カバー水栓の利便性をより向上させることができる。
【００１３】
また、本発明の第四の手段は、前記係止部が前記シャワーホースを着脱自在に係止固定可能に設けられたことを特徴とするものである。
【００１４】
前述した係止部では、シャワーホースを単に内側に挿通させた状態とする係止部も含まれるが、本発明のようにシャワーホースを着脱自在に係止固定可能にした係止部とすることにより、必要に応じて係止部からシャワーホースを着脱することができる。よって、洗面器を使用している場合等には洗面器等に干渉しないようにシャワーホースを係止部に確実に固定することができ引き回しの際のシャワーホースの暴れを最小限に抑えることができる。そして、浴室内を洗浄する際のようにシャワーホースを大きく伸ばして使用する場合等にはシャワーホースを係止部から外して使用するというように、係止部への着脱を選択して利用することができる。シャワーホースを着脱自在に係止固定可能に設ける係止部の構成としては、例えば、開口部の幅がシャワーホースの外径よりも小さい「Ｃ」字状のフック・凹溝、奥端の幅がシャワーホースの外径よりも小さい切り欠き等を例示することができる。
【００１５】
また、本発明の第五の手段は、前記係止部が前記カバーに着脱自在に設けられたことを特徴とするものである。
【００１６】
カバーに対して係止部を着脱自在に設けることにより、不要な場合にはカバーから係止部を取り外すことが可能となり、係止部が必要のない場合には、係止部自体をカバーから取り除くことができる。
【００１７】
また、本発明の第六の手段は、前記係止部がフックであることを特徴とするものである。
【００１８】
係止部をフックとすることにより、係止部を簡便な構成でカバーに付加することができ、本カバー水栓の製造コストを低減することができる。
【００１９】
また、本発明の第七の手段は、前記係止部がカバーに設けられた凹溝であることを特徴とするものである。
【００２０】
係止部をカバーに設けられた凹溝とすることにより、係止部がカバーから突出することが無く、洗面器等の接触による係止部の破損のおそれを極めて少なくすることができる。
【００２１】
また、本発明の第八の手段は、前記係止部が、その長手方向がカバーの上下方向に沿って形成された切り欠きであることを特徴とするものである。
【００２２】
係止部をこのような切り欠きにより構成することにより、シャワーを下方に引き回せば切り欠き内の下方にシャワーホースが移動し、シャワーを上方に引き回せば切り欠き内の上方にシャワーホースが移動するように設けることができる。一方、係止されるシャワーホースは切り欠き内から容易には外れないように構成することができる。よって、ホースの引き回しの自由度を確保しながらもホースの係止を確実に実現できる。また、カバーから突出する部位が無いので、洗面器等の接触による係止部の破損のおそれを極めて少なくすることができる。
【００２３】
また、本発明の第九の手段は、前記係止部が、カバーに穿設されたホース挿通孔であることを特徴とするものである。
【００２４】
本発明は、カバーに穿設されたホース挿通孔にシャワーホースを係止可能とするものである。カバーにホース挿通孔を穿設するだけで、係止部を簡便な構成でカバーに付加にすることができ、本カバー水栓の製造コストを低減することができる。また、係止部がカバーから突出することが無く、洗面器等の接触による係止部の破損のおそれを極めて少なくすることができる。
【００２５】
また、本発明の第十の手段は、前記切り欠き又は前記ホース挿通孔から、バー外部にシャワーホースを引き回すことを特徴とするものである。
【００２６】
カバーに設けられた切り欠き又はホース挿通孔からカバー外部にシャワーホースを引き回すこととしており、これらの切り欠き又はホース挿通孔よりも基端側のシャワーホース及び水栓本体のホース接続部をカバー内部に隠蔽することができる。よって、カバー水栓の美観をより向上させることができる。
【発明の効果】
【００２７】
本発明のカバー水栓は前述のように構成され、係止部によってシャワーホースを特定の位置又は向きに係止しておくことが可能となり、シャワーホースが吐水口や洗面器等、水栓本体正面下方の種々の部材・洗面用具等に干渉し難いように構成することができるので、利便性を向上させることができる。また、特に第六の手段・第九の手段のカバー水栓では、これに加えて、簡便な係止部とすることにより製造コストを低減させることもできる。また、特に第七の手段・第八の手段・第九の手段のカバー水栓では、これに加えて、係止部の破損のおそれを低減することもできる。
【図面の簡単な説明】
【００２８】
【図１】本発明のカバー水栓の斜視図である。
【図２】図１のカバー水栓の右側面視縦断面図である。
【図３】図１のカバーの要部拡大断面図である。
【図４】本発明の別のカバー水栓の斜視図である。
【図５】本発明のさらに別のカバー水栓の斜視図である。
【図６】本発明のさらに別のカバー水栓の要部拡大断面図である。
【図７】本発明のさらに別のカバー水栓の斜視図である。
【発明を実施するための形態】
【００２９】
次に、本発明の実施の形態を図を参考にして詳細に説明する。本発明のカバー水栓１ａは、図１及び図２に示されるように、浴室の壁面Ｘ前方に配設されるものであり、壁面Ｘの正面側上部に水栓本体１０が取り付けられ、湯側接続部１９及び水側接続部（図示省略）が突設される水栓本体１０の背面側及び下方の部位がカバー３０にて被覆されるものである。
【００３０】
カバー水栓１ａは、前述の通り浴室の壁面Ｘの前方に配設されている。また、水栓本体１０は、下方から立ち上がるように取りまわされた給湯配管３に湯側接続部１９が、給水配管４に水側接続部が各々接続されている。また水栓本体１０は、図２に示されるように、ステー２を介して壁面Ｘに固定されている。
【００３１】
水栓本体１０の左側面には、吐水温度を調整するための温度調節ハンドル１２が軸着されている。また、水栓本体１０の右側面には、吐水口２０又はシャワーホース２４からの吐水切換、吐止水及び吐水量の調整を行うための切換ハンドル１４が軸着されている。また、水栓本体１０の正面側下部には、図２に示されるように、手前側から、吐水口２０、シャワー接続部１８が突設されている。なお、吐水口２０の下方には、浴室の床面Ｙとの間に、洗面器を載置するのに十分なスペースが確保されている。図示しないシャワーヘッドに先端が接続されるシャワーホース２４は、接続金具２６を介して、基端側がシャワー接続部１８に対して直接螺着されている。よって、シャワーホース２４の基端側は、シャワーホース接続部１８の軸心方向（すなわち吐水口２０下方）に沿って取り付けられることになる。また、カバー３０の前面には、給湯側ソケット６の調整スピンドル７と給水側ソケット８の調整スピンドル９とが露呈されている。
【００３２】
カバー３０は、温度調節ハンドル１２及び切換ハンドル１４等を除く水栓本体１０のほぼ全体と、給湯配管３及び給水配管４のほぼ全体を被覆するように形成されており、正面視においてはやや縦長のほぼ矩形状に形成され、右側面視においては下部が奥側に立設され上部が前方に突出するように倒立した「Ｌ」字状に形成され、背面側が開口された箱状に設けられている。
【００３３】
カバー水栓１ａの上部寄りにおいて正面側に突出した突出部５の下面中央付近からは、水栓本体１０の吐水口２０がカバー３０の外部に突出している。また、この吐水口２０の奥側には、同様にシャワー接続部１８がカバー３０の外部に、下方に向けて突出している。前述したように、これらの吐水口２０及びシャワー接続部１８の下方の部位のカバー３０は、奥側におおきく後退するような形状に形成されており、吐水口２０の下方の浴室の床面Ｙ上に、洗面器等を載置するスペースが確保されている。
【００３４】
カバー３０には、カバー本体３２、吐水口２０付近を被覆すると共に吐水口２０によってカバー本体３２に固定されている下側カバー３４及び吐水口２０よりも下方であってカバー３０の正面側においてカバー本体３２に対して着脱可能な前側カバー３６が備えられている。
【００３５】
前側カバー３６のやや上部寄り左右で、水栓本体１０のシャワー接続部１８よりも低い位置には、本発明の「係止部」の一例であるフック４０ａ，４０ｂがそれぞれ設けられている。このフック４０ａ，フック４０ｂは「Ｃ」字状に形成されている。フック４０ａ，フック４０ｂの内径は、係止されるシャワーホース２４の外径よりも僅かに大きく設けられている。一方、フック４０ａ，フック４０ｂの開口部４２の開口幅は、シャワーホース２４の外径よりも僅かに小さく設けられている。フック４０ａ，フック４０ｂは樹脂製とされており、シャワーホース２４を開口部４２内に挿通する場合には、開口部４２が弾性拡開されるようにしてその内側にシャワーホース２４を圧入することが可能に構成されている。なお、シャワーホース２４が金属製のフレキシブル管などではなくビニール製などの場合には、シャワーホース２４自体が変形されてフック４０ａ，フック４０ｂ内側に圧入することが可能である。
【００３６】
このように構成されたカバー水栓１ａでは、下側カバー３４の正面視中央奥側に配設されているシャワー接続部１８に直接シャワーホース２４が取り付けられていても、水栓本体１０のシャワー接続部１８よりも低い位置に設けられたフック４０ａ，フック４０ｂにより、シャワーホース２４をカバー水栓１ａの正面視左右のいずれかに係止できるので、吐水口２０の直下にシャワーホース２４が垂れ下がるようなことがない。特に、本例のようにシャワー接続部１８が下方に向かって突設されていると、シャワーホース２４もその接続された部位は、下方、すなわち吐水口２０下のスペースにおかれた洗面器等の方向に向けられることになるが、フック吐水口２０下方に洗面器等をおいた場合に、シャワー２２を使用するためにシャワーホース２４の位置を変えるように取り回しても、洗面器等にシャワーホース２４が引っかかるなどのおそれを減少させることができる。
【００３７】
また、このようなフック４０ａ，フック４０ｂがカバー水栓１ａの正面視左右にそれぞれ設けられているので、例えば、カバー水栓１ａの左側に近接してユニットバスが配設されている場合には、これと反対側のフック４０ａにシャワーホース２４を係止して、カバー水栓１ａの左側に配設されたユニットバスからより遠い位置でシャワーホース２４を取りまわすことが可能となるようにし、逆に、カバー水栓１ａの右側に近接してユニットバスが配設されている場合には、これと反対側のフック４０ｂにシャワーホース２４を係止して、カバー水栓１ａの右側に配設されたユニットバスからより遠い位置でシャワーホース２４を取りまわすことが可能となるように、シャワーホース２４の係止位置を左右で選択できるように構成されている。
【００３８】
また、フック４０ａ，フック４０ｂのいずれか又は双方を、カバー３０に対して着脱自在に設けるものとしても良い。フック４０ａ，フック４０ｂをカバー３０に対して着脱自在に設ける手段としては、フック４０ａ，フック４０ｂ又はカバー３０に吸盤を設けて、フック４０ａ，フック４０ｂを吸盤を介してカバー３０に吸着可能としたり、カバー３０とフック４０ａ，フック４０ｂとに互いに係合可能な係合部をそれぞれ設けることなどを例示することができる。
【００３９】
また、図３に示されるように、回動自在に設けられたフック４０ｃとすることもできる。フック４０ｃはシャワーホース２４を係止する主体部４１と、この主体部４１の基端部４３をカバー３０側に固定するための固定部４４とから構成されており、これらの主体部４１と固定部４４とが自在継手により連接されている。よって、シャワーホース２４を係止する主体部４１は、固定部４４に対して、その接合角度を自由に変化させることができるので、シャワーを使用する際にフック４０ｃに係止固定されるシャワーホース２４の向きを自在に変えることができる。したがって、シャワーの使用時にシャワーホース２４が無理な角度で湾曲されることを少なくすることができ、シャワーの利便性をより高めることができる。
【００４０】
ついで、本発明の別のカバー水栓１ｂについて説明する。図４に示されるように、このカバー水栓１ｂは、「係止部」として、凹溝５０ａ，凹溝５０ｂを採用したものである。なお、以下において、前述した第一のカバー水栓１ａと共通する構成については、カバー水栓１ａに用いた符号と同一の符号を図面中に付してその説明を省略する。
【００４１】
凹溝５０ａ，凹溝５０ｂは前側カバー３６のやや上部寄りの左右にそれぞれ設けられ、ほぼ左右対称の形状に形成されている。凹溝５０ａ，凹溝５０ｂは、それぞれカバー水栓１ｂの正面視中央から下方に向かって徐々に端部に向かって傾斜するようにその長手方向の向きが設けられている。また、凹溝５０ａ，凹溝５０ｂは、上端から下端に向かうに従って徐々にその深さを増すように形成されており、下端寄りにおいては、その内側に挿通されるシャワーホース２４の外径以上の深さとなる断面円形状の凹溝として形成されている。また、下端寄りの少なくとも一部において、凹溝５０ａ，凹溝５０ｂの開口部５２の幅がシャワーホース２４の外径よりも小さくなるように設けられている。よって、ビニール製などのシャワーホース２４では、シャワーホース２４自体が変形されて凹溝５０ａ，凹溝５０ｂの内側に圧入可能に構成されることになり、これによりシャワーホース２４を着脱自在に固定可能に設けられ、必要な場合にはシャワーホース２４を凹溝５０ａ，凹溝５０ｂに確実に固定しておくことができる。なお、カバー３０が弾力性のある材質でない場合には、凹溝５０ａ，凹溝５０ｂ内にゴム製等弾力性のあるカバーを取り付けておくことにより、金属製のフレキシブル管などであっても凹溝５０ａ，凹溝５０ｂ内に着脱自在に圧入することができる。また、このような凹溝５０ａ，凹溝５０ｂは、カバー３０から特に突出した部位を有しないので、意図せずにシャワーホース２４を引っ掛けたりすることがなく、凹溝５０ａ，凹溝５０ｂの破損のおそれを低減することができる。
【００４２】
ついで、本発明の別のカバー水栓１ｃについて説明する。図５に示されるように、このカバー水栓１ｃは、「係止部」として、カバー３０の側部に形成された切り欠き６０ａ，切り欠き６０ｂを採用したものである。
【００４３】
切り欠き６０ａ，切り欠き６０ｂは、縦長に形成されており、カバー本体３２の側部に、その長手方向がカバー水栓１ｃの上下方向に沿うようにして形成されている。切り欠き６０ａ，切り欠き６０ｂの幅は、奥端部６２を除いて、挿通されるシャワーホース２４の外径よりやや大きく設けられており、挿通されて係止されるシャワーホース２４が、取り回しに従って上下に移動することができるように構成されている。一方、切り欠き６０ａ，切り欠き６０ｂの奥端部６２はその幅がシャワーホース２４の外径よりもやや小さく設けられており、ビニール製などのシャワーホース２４では、シャワーホース２４自体が変形されて奥端部６２内に圧入可能に構成されている。なお、金属製のフレキシブル管などであっても、奥端部６２にゴム製等の弾力性のあるカバー等を取り付け圧入することよって係止固定することが可能である。このようにして、必要に応じて、係止されるシャワーホース２４を奥端部６２にまで押し込めば、奥端部６２の位置において、切り欠き６０ａ，切り欠き６０ｂ内におけるシャワーホース２４の上下移動を規制してシャワーホース２４を一時的に固定することもできる。また、切り欠き６０ａ，切り欠き６０ｂはカバー３０の下端から形成されているので、係止されるシャワーホース２４が相当下方に引き下げられなければ切り欠き６０ａ，切り欠き６０ｂから外れることはなく、容易にはシャワーホース２４の係止が解除されないように構成されている。なお、これらの切り欠き６０ａ，切り欠き６０ｂを、カバー３０の側部ではなく、カバー３０の前面側に設けることとしても良い。
【００４４】
また、カバー水栓１ｃにおいては、シャワーホース２４を切り欠き６０ａ，切り欠き６０ｂからカバー３０外部に引き回すこととしている。このため、シャワーホース２４の基端側寄りの部位はカバー３０内を引き回されており、カバー３０内に隠蔽されている。そこで、シャワー接続部１８及び接続金具２６が露呈することにより美観を損ねないようにするために、シャワーホース２４の基端側寄りの部位を被覆するのみならず、下側カバー３４をシャワー接続部１８及び接続金具２６も被覆するように下方に膨出した形状としている。
【００４５】
ついで、本発明の別のカバー水栓１ｄについて説明する。図６にその要部が示されるように、このカバー水栓１ｄは、「係止部」として、カバー３０の側部に穿設されたホース挿通孔７０を採用したものである。このカバー水栓１ｄでは、あらかじめホース挿通孔７０にシャワーホース２４を挿通しておくことにより、シャワーホース２４をホース挿通孔７０の位置に係止固定することができる。ホース挿通孔７０にはスリーブ７２が取り付けられており、シャワーホース２４の引きだしが円滑に行われるように構成されている。また、スリーブ７２の開口部７４は外側が大径となるように形成されており、引き出されるシャワーホース２４を引っ張った時などにおいて、引っ張った方向にシャワーホース２４が向きやすいように構成されている。
【００４６】
また、図示は省略するが、ホース挿通孔７０はカバー３０の左右にそれぞれ設けられており、カバー水栓３２が設置される周囲の状況に応じて、あらかじめ左右のいずれかのホース挿通孔７０を選択してシャワーホース２４を挿通しておくことができる。また、前述のカバー水栓１ｃと同様に、シャワーホース２４の基端側寄りの部位をカバー３０内に収め、シャワーホース２４をホース挿通孔７０からカバー３０外部に引き回し、また下側カバー３４をシャワー接続部１８及び接続金具２６も被覆するように下方に膨出した形状としても良い。
【００４７】
ついで、本発明の別のカバー水栓１ｅについて説明する。図７に示されるように、このカバー水栓１ｅは、「係止部」として、カバー３０の前面側に、カバー３０に対して着脱自在に設けられた舌片状の突設片８０ａ，突設片８０ｂを採用したものである。突設片８０ａ，突設片８０ｂは、前側カバー３６との間に、シャワーホース２４が挿通可能な間隔を設けており、この突設片８０ａ，突設片８０ｂと前側カバー３６との間にシャワーホース２４を挿通することにより、シャワーホース２４を係止することができる。突設片８０ａ，突設片８０ｂは比較的長めに設けられており、係止されるシャワーホース２４が相当下方に引き下げられなければ突設片８０ａ，突設片８０ｂから外れることがなく、容易にはシャワーホース２４の係止が解除されないように構成されている。また、突設片８０ａ，突設片８０ｂは、前側カバー３６に突起状の係合部８２によって脱着自在に取り付けられており、必要に応じて突設片８０ａ，突設片８０ｂを取り外すことができる。
【００４８】
なお、前述したいずれの係止部においても、カバーの左右のいずれか一方にのみ設けることとしても良い。また、左右２か所だけではなく、複数個以上とすることでも良い。また、上下に異なる位置に係止部を設けることとしても良い。上下に異なる位置に係止部を設けると、水栓本体１０下方に通常とは異なる高さの洗面器等を載置した場合に、シャワーホース２４を異なる高さに係止できることになり、利便性が高まる。
【産業上の利用可能性】
【００４９】
本発明はシャワーを備えたカバー水栓に広く利用することができる。
【符号の説明】
【００５０】
１ａ，１ｂ，１ｃ，１ｄ，１ｅ：カバー水栓、２；ステー、３；給湯配管、４；給水配管、５；突出部、６；給湯側ソケット、７；調整スピンドル、８；給水側ソケット、９；調整スピンドル、１０；水栓本体、１２；温度調節ハンドル、１４；切換ハンドル、１８；シャワー接続部、１９；湯側接続部、２０；吐水口、２４；シャワーホース、２６；接続金具、３０；カバー、３２；カバー本体、３４；下側カバー、３６；前側カバー、４０ａ，４０ｂ，４０ｃ；フック、４１；主体部、４２；開口部、４３；基端部、４４；固定部、５０ａ，５０ｂ；凹溝、５２；開口部、６０ａ，６０ｂ；切り欠き、６２；奥端部、７０；ホース挿通孔、７２；スリーブ、７４；開口部、８０ａ，８０ｂ；突設片、８２；係合部、Ｘ；壁面、Ｙ：床面。
【図１】
2011226074.tif 000003
【図２】
2011226074.tif 000004
【図３】
2011226074.tif 000005
【図４】
2011226074.tif 000006
【図５】
2011226074.tif 000007
【図６】
2011226074.tif 000008
【図７】
2011226074.tif 000009